(57)【特許請求の範囲】
【請求項１】
マトリックス状に配列された画素電極と、前記画素電極を囲むように複数列をなして互いに直交して配置された第１の配線群と第２の配線群を有する配線基板を有したマトリックス型表示装置において、前記第１の配線群の両側部において前記第１の配線群に交差することなく前記第１の配線群に対して並行に配置されると共に、前記第２の配線群とはその両端部において交差部を有する一対の第３の配線群と、前記交差部のそれぞれに設けられ、絶縁部を短絡することにより前記第２の配線群と前記第３の配線群を電気的に接続する第１の短絡手段と、一対の前記第３の配線群の端部を除く略中央部において前記第３の配線群に接続されると共に、前記配線基板の外部で互いに接続可能な一対の引出線とを備えたことを特徴とするマトリックス型表示装置。
【請求項２】
引出線と第３の配線群を接続する前記第３の配線群上の各接続部に、絶縁部を短絡することにより電気的接続を可能とする第２の短絡手段を２個設け、この２個の前記第２の短絡手段の中間に前記引出線を接続したことを特徴とする請求項１に記載のマトリックス型表示装置。
【請求項３】
第２の短絡手段に代えて、切断手段を設けたことを特徴とする請求項２に記載のマトリックス型表示装置。
【請求項４】
マトリックス状に配列された画素電極と、前記画素電極を囲むように複数列をなして互いに直交して配置された第１の配線群と第２の配線群を有する配線基板を有したマトリックス型表示装置において、前記第１の配線群の両側部において前記第１の配線群に交差することなく前記第１の配線群に対して並行に配置されると共に、前記第２の配線群とはその両端部において交差部を有する一対の第３の配線群と、前記交差部のそれぞれに設けられ、絶縁部を短絡することにより前記第２の配線群と前記第３の配線群を電気的に接続する第１の短絡手段と、一対の前記第３の配線群の略中央部において前記第３の配線群に接続されると共に、前記配線基板の外部で互いに接続可能な一対の引出線とを備え、
互いにその一部が並行して配置された複数対の第３の配線群を備え、複数対の前記第３の配線群のそれぞれの略中央部において前記第３の配線群にそれぞれ接続されると共に、接続された第３の配線群以外の第３の配線群のいずれとも交差することなく配線基板の外部で互いに接続可能な複数対の引出線とを備えたことを特徴とするマトリックス型表示装置。
【請求項５】
各引出線と第３の配線群を接続する前記第３の配線群上の接続部に、絶縁部を短絡することにより電気的接続を可能とする第２の短絡手段を２個設け、この２個の前記第２の短絡手段の中間に前記引出線を接続したことを特徴とする請求項４に記載のマトリックス型表示装置。
【請求項６】
第２の短絡手段に代えて、切断手段を設けたことを特徴とする請求項５に記載のマトリックス型表示装置。
【請求項７】
マトリックス状に配列された画素電極と、前記画素電極を囲むように複数列をなして互いに直交して配置された第１の配線群と第２の配線群を有する配線基板を有したマトリックス型表示装置において、前記第１の配線群の両側部において前記第１の配線群に交差することなく前記第１の配線群の全長に対して並行に配置されると共に、前記第２の配線群とはその両端部において交差部を有する複数対の第３の配線群と、前記交差部のそれぞれに設けられ、絶縁部を短絡することにより前記第２の配線群と前記第３の配線群を電気的に接続する第１の短絡手段と、前記複数対の第３の配線群の端部を除く略中央部において前記複数対の第３の配線群のそれぞれと交差すると共に、前記配線基板の外部で互いに接続可能な複数対の引出線と、前記複数対の第３の配線群と前記複数対の引出線が交差する各交差部に絶縁部を短絡することにより前記第３の配線群と前記各引出線を電気的に接続する第３の短絡手段とを備えたことを特徴とするマトリックス型表示装置。
【請求項８】
第３の配線群と引出線が交差する各交差部の前記第３の配線群上において、絶縁部を短絡することにより電気的接続を可能とする第２の短絡手段を２個設け、この２個の前記第２の短絡手段の中間に第３の短絡手段を配置したことを特徴とする請求項７に記載のマトリックス型表示装置。
【請求項９】
第２の短絡手段に代えて、切断手段を設けたことを特徴とする請求項８に記載のマトリックス型表示装置。
【請求項１０】
引出線と第３の配線群の対数は同一であることを特徴とする請求項１乃至９のいずれかに記載のマトリックス型表示装置。
【請求項１１】
マトリックス状に配列された画素電極と、前記画素電極を囲むように複数列をなして互いに直交して配置された第１の配線群と第２の配線群を有する配線基板を有したマトリックス型表示装置において、
前記第１の配線群の両側部に、前記第２の配線群の複数列の配線と交差する配線をそれぞれ配置してなる第３の配線群と、前記交差部のそれぞれにおいて前記第２の配線群と前記第３の配線群との間に設けられ、所定の処理により短絡可能な絶縁部と、前記第３の配線群が交差する前記第２の配線群の複数列の間において前記第３の配線群に接続されると共に、前記配線基板の外部で互いに接続可能な一対の引出線と、を備えてなる断線修復構造を複数対有し、
それら複数対の断線修復構造のそれぞれの第３の配線群が互いにその一部が並行するように配置されることを特徴とするマトリックス型表示装置。
【発明の詳細な説明】
【０００１】
【発明の属する技術分野】
本発明は、バス配線の断線修復機能を有したマトリックス型表示装置に係わり、更に詳しくは断線修復のための予備配線あるいは予備配線の引出線の構成に関するものである。
【０００２】
【従来の技術】
ＣＲＴに代わる画像表示装置としての液晶やプラズマ発光体等を用いたマトリックス型表示装置は、近年いよいよ実用段階に入り、ますます精細で大型のものが要望されている。
精細で大型のマトリックス型表示装置を実現するためには、マトリックスを構成する画素の大きさを小さくし、しかも非常に多くの画素を用いる必要がある。画素数の増大に伴い、信号線および走査線として機能するバス配線の数も多くなる共に、その幅は小さく、また長さは大きくなり、バス配線の断線不良が発生しやすくなる。
図６は、例えば特開平３ー８５５２５号公報に示された従来のバス配線の断線修復機能を有したマトリックス型液晶表示装置の表示電極基板（アレイ基板とも称す）のバス配線の概略構成を示す平面図である。
【０００３】
図に示すように、一方向に並行する多数のゲートバス配線２に直交して、多数のソースバス配線１が並行して設けられている。そしてソースバス配線１は２組のソースバス配線１ａおよび１ｂからなり、それぞれ異なった図示しないドライバイＩＣに接続されている。
また、ソースバス配線１とゲートバス配線２は、絶縁膜を介して非導通状態で交差している。
尚、ソースバス配線１とゲートバス配線２に囲まれた矩形の各領域には画素電極およびスィチング素子としてのＴＦＴ（薄膜トランジスタ）が配置されていると共に、画素電極とこれに対向する対向電極との間に液晶が封入され、マトリックス型表示装置が構成されている。
【０００４】
ソースバス配線１の上下の両端部には、予備配線３ａおよび３ｂ、並びに予備配線１３ａおよび１３ｂが絶縁膜を介して交差して配置される共に、これら予備配線はゲートバス配線２とは交差することなく表示電極基板外部への引出し用の端部である４ａ、４ｂ、１４ａ、１４ｂにそれぞれ接続されている。
ソースバス配線１およびゲートバス配線２の各配線は、それぞれ電極端子を経由して表示電極基板外部において所定の信号が出力されるドライバＩＣの出力端子に接続される共に、前述の予備配線の引出し用の端部の４ａ、４ｂ、１４ａ、１４ｂは互いに接続できるように構成されている。
【０００５】
次に、図６に示した従来のマトリックス型表示装置の表示電極基板において、ソースバス配線１が断線した場合の修復の方法について説明する。
例えば、図に示すように２箇所の断線部５および１５がソースバス配線１ａおよび１ｂ上に発生しているとする。
まず、断線部５を生じている不良ソースバス配線１ａが交差部５ａおよび５ｂにおいて、それぞれ予備配線３ａおよび３ｂにレーザ等の照射による短絡により接続される。
同様に、断線部１５を生じている不良ソースバス配線１ｂが交差部１５ａおよび１５ｂにおいて、それぞれ予備配線３ａおよび３ｂにレーザ等の照射による短絡により接続される。
【０００６】
次に、予備配線３ａ上の交差部５ａと１５ａの間の例えば６ａに示す点で、予備配線３ａが切断される。
同様に、予備配線３ｂ上の交差部５ｂと１５ｂの間の例えば６ｂに示す点で、予備配線３ａが切断される。
更に、表示電極基板の外部において、端部４ａに接続された接続用配線と端部４ｂに接続された接続用配線とが接続される。
このようにして、２箇所の断線部５および１５が修復される。
【０００７】
【発明が解決しようとする課題】
このように従来のマトリックス型表示装置の表示電極基板では、例えばソースバス配線の両端部でゲートバス配線に並行して配置された予備配線群は、その両端の引出し用の端部を経由して表示電極基板の外部において互いに接続できるように構成されているので、断線部が表示画面の中央部側にある場合には修復のために短絡して接続される不良ソースバス配線と予備配線との交差部は引出し用の端部から遠い距離に位置することになり、断線した配線を予備配線と接続しても予備配線の抵抗分により入力信号の劣化が生じ、予備配線を用いていない隣接配線と信号が異なることとなり、表示画面では不良として認識されてしまうという問題点があった。
【０００８】
また、予備配線とソートバス配線の交差部が増加することとなり、ソースバス配線の負荷容量が増え、このため入力信号の遅延による画像品質の劣化が生じてしまうという問題点もあった。
この発明はこのような問題点を解決するためになされたもので、大型化・高精細化された表示電極基板のソースバス配線の断線部を予備配線により修復しても表示される画像品質の劣化を招くことのない高品位なマトリックス型表示装置を提供することを目的とする。
【０００９】
【課題を解決するための手段】
請求項１の発明に係るマトリックス型表示装置は、マトリックス状に配列された画素電極と、画素電極を囲むように複数列をなして互いに直交して配置された第１の配線群と第２の配線群を有する配線基板を有したマトリックス型表示装置において、第１の配線群の両側部において第１の配線群に交差することなく第１の配線群に対して並行に配置されると共に第２の配線群とはその両端部において交差部を有する一対の第３の配線群と、交差部のそれぞれに設けられ、絶縁部を短絡することにより第２の配線群と第３の配線群を電気的に接続する第１の短絡手段と、一対の第３の配線群の端部を除く略中央部において第３の配線群に接続されると共に配線基板の外部で互いに接続可能な一対の引出線とを備えたものである。
【００１０】
また、請求項２の発明に係るマトリックス型表示装置は、請求項１の発明において、引出線と第３の配線群を接続する第３の配線群上の各接続部に、絶縁部を短絡することにより電気的接続を可能とする第２の短絡手段を２個設け、この２個の第２の短絡手段の中間に引出線を接続するように構成したものである。
【００１１】
また、請求項３の発明に係るマトリックス型表示装置は、請求項２の発明において、第２の短絡手段に代えて、切断手段を設けたものである。
【００１２】
また、請求項４の発明に係るマトリックス型表示装置は、互いにその一部が並行して配置された複数対の第３の配線群を備え、複数対の第３の配線群のそれぞれの略中央部において第３の配線群にそれぞれ接続されると共に、接続された第３の配線群以外の第３の配線群のいずれとも交差することなく配線基板の外部で互いに接続可能な複数対の引出線とを備えたものである。
【００１３】
また、請求項５の発明に係るマトリックス型表示装置は、請求項４の発明において、各引出線と第３の配線群を接続する第３の配線群上の接続部に、絶縁部を短絡することにより電気的接続を可能とする第２の短絡手段を２個設け、この２個の第２の短絡手段の中間に引出線を接続するように構成したものである。
【００１４】
また、請求項６の発明に係るマトリックス型表示装置は、請求項５の発明において、第２の短絡手段に代えて、切断手段を設けたものである。
【００１５】
また、請求項７の発明に係るマトリックス型表示装置は、マトリックス状に配列された画素電極と、画素電極を囲むように複数列をなして互いに直交して配置された第１の配線群と第２の配線群を有する配線基板を有したマトリックス型表示装置において、第１の配線群の両側部において第１の配線群に交差することなく第１の配線群の全長に対して並行に配置されると共に、第２の配線群とはその両端部において交差部を有する複数対の第３の配線群と、交差部のそれぞれに設けられ、絶縁部を短絡することにより第２の配線群と第３の配線群を電気的に接続する第１の短絡手段と、前記複数対の第３の配線群の端部を除く略中央部において前記複数対の第３の配線群のそれぞれと交差すると共に、前記配線基板の外部で互いに接続可能な複数対の引出線と、複数対の第３の配線群と複数対の引出線が交差する各交差部に絶縁部を短絡することにより第３の配線群と各引出線を電気的に接続する第３の短絡手段を備えたものである。
【００１６】
また、請求項８の発明に係るマトリックス型表示装置は、請求項７の発明において、第３の配線群と引出線が交差する各交差部の第３の配線群上において絶縁部を短絡することにより電気的接続を可能とする第２の短絡手段を２個設け、この２個の前記第２の短絡手段の中間に第３の短絡手段を配置したものである。
【００１７】
また、請求項９の発明に係るマトリックス型表示装置は、請求項８の発明において、第２の短絡手段に代えて、切断手段を設けたものである。
【００１８】
また、請求項１０の発明に係るマトリックス型表示装置は、請求項１乃至９のいずれかの発明において、引出線と第３の配線群の対数は同一であることを特徴とするものである。
【００１９】
【発明の実施の形態】
実施の形態１．
以下、本発明の一実施の形態を図面に基づいて説明する。
図１は、本発明の実施の形態１によるアクティブマトリックス型表示装置（以下、マトリックス型表示装置と略す）の要部の構成を示す説明図である。
図において、１０１はマトリクス型表示装置の配線基板（従来の表示電極基板に相当する）、２０１はソースバス配線、２１１はゲートバス配線である。
図に示すように、一方向に並行する例えば第１の配線群としての多数のゲートバス配線２１１に直交して、第２の配線群としての多数のソースバス配線２０１が並行して設けられ、これらは絶縁膜を介して非導通状態で交差している。
尚、図示はされていないが、ソースバス配線２０１とゲートバス配線２１１に囲まれた矩形の各領域には画素電極およびスィチング素子としてのＴＦＴ（薄膜トランジスタ）がそれぞれ配置されていると共に、画素電極とこれに対向する対向電極との間に液晶が封入され、マトリックス型表示装置が構成されている。
【００２０】
また、２２１および２３１は予備配線(第３の配線群）、２４１および２５１はそれぞれ予備配線２２１および２３１の両端部以外の位置（即ち、表示画面の中央部側）で接続された内部引出線、２６１はこの内部引出線２４１および２５１に接続される外部引出線である。
さらに、３０１、３１１は各ソースバス配線の上部および下部側に配設されたソースバス配線用の電極端子、３２１、３３１は内部引出線２４１および２５１と外部引出線を接続するための電極端子である。
また、４０１、４１１は通常はソースバス配線２０１と予備配線２２１、２３１と電気的に絶縁されている交差部であって、レーザ照射により交差部の絶縁層が短絡されてソースバス配線と予備配線を電気的に接続が可能な短絡リペア用パッド（第１の短絡手段）である。
また、２６１は電極端子３２１と３３１を配線基板１０１の外部において外部配線を用いて接続するための外部引出線である。
【００２１】
一般に外部からの信号入力にはフレキシブル基板上にＩＣチップが実装されたＴＣＰ（ Tape Carrier Package ）が用いられ、予め外部引出線用の端子を設けておけば、新たに外部引出線用のＦＰＣ（フレキシブル配線基板 ： Flexible
Printed Circuit ）を用いる必要がない。
【００２２】
いま、ソースバス配線２０１上において断線部５０１を生じ、上部側のソースバス配線２０１ａと下部側のソースバス配線２０１ｂが電気的に絶縁している場合を考える。
この場合、電極端子３０１ａよりソースバス線２０１ａに信号が入力されても、断線部５０１のために下部側のソースバス線２０１ｂには信号が届かない。
そこで、短絡リペア用パッド（第１の短絡手段）４０１ａ部にソースバス配線２０１ａと予備配線２２１とを電気的に短絡をするようレーザを照射する。
同様に短絡リペア用パッド（第１の短絡手段）４１１ａ部にソースバス配線２０１ｂと予備配線２３１が電気的に短絡をするようレーザを照射する。
これによりソースバス配線２０１ａと２０１ｂは、短絡リペア用パッド４０１ａ、予備配線２１１、内部引出線２４１、外部引出線２６１、内部引出線２５１、予備配線２３１、短絡リペア用パッド４１１ａを介して電気的に接続されることになる。即ち、断線部５０１は修復（リペア）されたことになる。
【００２３】
このように、本実施の形態においては、予備配線２２１および２３１に接続する内部引出線２４１および２５１を予備配線２２１および２３１の端部ではなく、端部を除く表示画面の中央側の位置に配置したので、表示画面の中央部側のソースバス配線２０１ａに発生した断線部５０１を修復した場合でも、ソースバス配線２０１ａに印加される信号は予備配線２２１あるいは２３１を長距離にわたって経由することを防止できる。
例えば、内部引出線２４１、２５１が予備配線２２１、２３１の左端で接続されており、右端のソースバス配線で発生した断線を修復する場合には、この右端のソースバス配線に印加される信号は予備配線２２１あるいは２３１の略全長を経由しなければならないが、本実施の形態では内部引出線の接続する位置を予備配線の中央部側としたので、右端あるいは左端のソースバス配線の断線を修復する場合であっても、予備配線を経由する距離は短くなる。
【００２４】
尚、内部引出線の接続する位置を予備配線の中央にすれば、最も効果的であることはいうまでもない。
また、内部引出線２４１あるいは２５１を経由して配線基板１０１の外部に配置された外部引出線２６１は、配線基板１０１の面積の制限を受けないので、信号の劣化がないように太くすることが可能である。
従って、本実施の形態によれば、断線した配線を予備配線と接続して修復しても、予備配線の抵抗分によりソースバス配線への入力信号の劣化を抑えることができ、表示画面で不良が発生するのを防止できる。
【００２５】
実施の形態２．
図２は、実施の形態２によるマトリックス表示装置の配線基板の要部の構成を示す説明図である。
前述の実施の形態１では、予備配線２２１と内部引出線２４１が直接接続されているが、本実施の形態では上部側の予備配線２２１を予備配線２２１ａと２２１ｂとに分け、分割された予備配線２２１ａと２２１ｂの間に内部引出線２４１を配置している。
そして、予備配線２２１ａと内部配線２４１の間および予備配線２２１ｂと内部配線２４１の間に、通常は電気的に確実に絶縁され、レーザ照射時には電気的接続が可能な短絡リペア用パッド（第２の短絡手段）４２１ａおよび４２１ｂをそれぞれを設けている。
【００２６】
同様に下部側の予備配線２３１を予備配線２３１ａと２３１ｂとに分け、分割された予備配線２３１ａと２３１ｂの間に内部引出線２５１を配置するともに、予備配線２３１ａと内部配線２５１の間および予備配線２３１ｂと内部配線２５１の間に、通常は電気的に確実に絶縁され、レーザ照射時には電気的接続が可能な短絡リペア用パッド（第２の短絡手段）４３１ａおよび４３１ｂをそれぞれ設けている。
【００２７】
いま、分割された予備配線２２１ａと直交するソースバス配線２０１上に断線部５０１を生じ、上部側のソースバス配線２０１ａと下部側のソースバス配線２０１ｂが電気的に絶縁している場合のソース線２０１の修復を考える。
リペア用パッド４０１ａ部にソースバス配線２０１ａと予備配線２２１ａとが電気的に短絡をするようにレーザを照射する。
同様にリペア用パッド４１１ａ部にソースバス配線２０１ｂと予備配線２３１ａとが電気的に短絡をするようレーザを照射する。
さらにリペア用パッド４２１ａ、４３１ａをそれぞれ予備配線２２１ａと内部引出線２４１、予備配線２３１ａと内部引出線２５１が短絡するようレーザを照射する。
【００２８】
これによりソースバス配線２０１ａと２０１ｂは、短絡リペア用パッド４０１ａ、予備配線２２１ａ、短絡リペア用パッド４２１ａ、内部引出線２４１、外部引出線２６１、内部引出線２５１、短絡リペア用パッド４３１ａ、予備配線２３１ａ、短絡リペア用パッド４１１ａを介して電気的に接続される。
また、外部引出線２６１は十分抵抗が小さいので、信号の劣化を抑えることができる。
さらに内部引出線２４１および２５１は、短絡リペア用パッド４２１ｂおよび４３１ｂによりそれぞれ予備配線２２１ｂおよび３２１ｂとは確実に絶縁されているので、修復した配線には前述の実施の形態１の場合に比べてソースバス配線２０１ｂと予備配線２２１ｂおよびソースバス配線２０１ｂと予備配線２３１ｂとのそれぞれの交差部に対応する負荷容量分だけ小さくなり、従って断線部修復時のソースバス配線への信号の遅延が小さくなる。
【００２９】
同様に、分割された予備配線２２１ｂと直交するソースバス配線２０２上に断線部５０２を生じ、上部側のソースバス配線２０２ａと下部側のソースバス配線２０２ｂが電気的に絶縁している場合のソース線２０２の修復には、短絡リペア用パッド４０１ｂ、４１１ｂ、４２１ｂ、４３１ｂをレーザにより短絡させることにより、上部側のソースバス配線２０２ａと下部側のソースバス配線２０１ｂは、短絡リペア用パッド４０１ｂ、予備配線２２１ｂ、短絡リペア用パッド４２１ｂ、内部引出線２４１、外部引出線２６１、内部引出線２５１、短絡リペア用パッド４３１ｂ、予備配線２３１ｂ、短絡リペア用パッド４１１ｂを介して電気的に接続される。
【００３０】
断線部５０１の修復の場合と同様に、外部引出線２６１は十分抵抗が小さいので、信号の劣化を抑えることができる。
さらに内部引出線２４１および２５１は、短絡リペア用パッド４２１ａおよび４３１ａによりそれぞれ予備配線２２１ａおよび３２１ａとは確実に絶縁されているので、修復した配線には前述の実施の形態１の場合に比べてソースバス配線２０１ａと予備配線２２１ａおよびソースバス配線２０１ａと予備配線２３１ａとのそれぞれの交差部に対応する負荷容量分だけ小さくなり、従って断線部修復時のソースバス配線への信号の遅延が小さくなる。
【００３１】
以上のように、本実施の形態によれば予備配線の端部を除く中央側において、２つの短絡リペア用パッド（第２の短絡手段）により予備配線を確実に絶縁して分割し、この２つの短絡リペアパッドの中間で内部引出線とと予備配線を接続する共に、２つの短絡リペアパッドのいずれかをレーザにより短絡することにより内部引出線と分割された予備配線のいずれか一方とを接続可能とする構成したので、断線した配線を予備配線と接続して修復した場合にも、予備配線の抵抗分によるソースバス配線への入力信号の劣化を抑えることができ、表示画面で不良が発生するのを防止できると共に、予備配線とソースバス配線の交差部の増加に伴う負荷容量の増大も抑制でき、負荷容量の増大に伴う入力信号の遅延等に起因する表示画像の品質劣化も防止できるという効果もある。
【００３２】
実施の形態３．
図３は、実施の形態３によるマトリックス型表示装置の配線基板の要部の構成を示す図である。
図に示すように、本実施の形態は基本的には実施の形態１と同様の構成であるが、予備配線２２１上において内部引出線２４１との接続点を挟むように切断用パッド６０１ａ、６０１ｂを、また予備配線２３１上において内部引出線２５１との接続点を挟むように切断用パッド（切断手段）６１１ａ、６１１ｂをそれぞれ設けたことを特徴とするものである。
【００３３】
いま、ソースバス配線２０１上に断線部５０１を生じ、上部側のソースバス配線２０１ａと下部側のソースバス配線２０１ｂが電気的に絶縁している場合のソース線２０１の修復を考える。
実施の形態１と同様に、短絡リペア用パッド４０１ａ、４１１ａをレーザ照射により短絡させる。このままでも、実施の形態１と同様の効果が得られる。
さらに切断用パッド６０１ｂ、６１１ｂにレーザを照射し、予備配線２２１から２２１ｂ、予備配線２３１から２３１ｂを切り離す。
これにより、切り離された側の予備配線とこれと直交するソースバス配線との交差部に発生する負荷容量の影響は全く受けなくなるので、修復したソース線の負荷容量がさらに小さくなり、負荷容量の増大に伴う信号の遅延を抑制するので、信号遅延に起因する表示画像の品質劣化を防止できるとい効果がある。
【００３４】
実施の形態４．
図４は、実施の形態４によるマトリックス型表示装置の配線基板の要部の構成を示す図である。
実施の形態1では、１本の外部引出線に対応して上側の予備配線２２１と下側の予備配線２３１の一組となった予備配線で構成されているが、本実施の形態では複数の外部引出線２６１ａ、２６１ｂ、・・・が設けられると共に、この複数の外部引出線２６１ａ、２６１ｂ、・・・に対応して複数の予備配線の組が互いにその一部が重なり合うように構成されている。
尚、２４１ａおよび２５１ａは外部引出線２６１ａと１組の予備配線とを接続する内部引出線、２４２ａおよび２５２ａは外部引出線２６２ａと他の１組の予備配線とを接続する内部引出線であり、各内部引出線は対応する予備配線の中央側で接続されている。
【００３５】
本実施の形態はこのような構成を採用することにより、修復時の信号が経由する予備配線の距離を短くして予備配線の抵抗分によりソースバス配線への入力信号の劣化を抑え、表示画面で不良が発生するのを防止できると共に、予備配線が重なり合っている部分のソースバス配線（例えば、２０３）の断線部５０３の修復は２回行うことが可能となるという効果がある。
さらに、図に示したように内部引出線と予備配線の接続されている箇所を挟むように設けられているパッド部（７０１ａ〜７０１ｄおよび７１１ａ〜７１１ｄ）として、実施の形態２と同様な短絡用リペア用パッド（第２の短絡手段）や実施の形態３と同様な切断リペア用パッド（切断手段）を用いることにより、修復したソースバス配線の負荷容量を小さくすることが可能であり、負荷容量の増大に伴う信号の遅延を抑制するので、信号遅延に起因する表示画像の品質劣化も防止できるとい効果がある。
【００３６】
実施の形態５．
図５は、実施の形態５によるマトリックス型表示装置の配線基板の要部の構成を示す図である。
前述の実施の形態１では、予備配線は上側の予備配線２２１と下側の予備配線２３１の一組で構成されているが、本実施の形態では図に示すようにゲートバス配線２１１の上側および下側において複数の予備配線をゲートバス配線２１１の全長にわたって設け、更にこれら複数の予備配線の端部を除く複数の箇所で複数の内部引出線を絶縁かつ交差させ、これらの交差部に第３の短絡手段としての短絡用リペア用パッド（４４１ａ〜４４１ｄおよび４５１ａ〜４５１ｄ）を設けている。
これにより、すべてのソースバス配線に対し、複数回の修復が可能である。
【００３７】
更に、これらの交差部に設けられた各短絡用リペア用パッド（４４１ａ〜４４１ｄおよび４５１ａ〜４５１ｄ）を挟むように設けられているパッド部（７０１ａ、７０１ｂや７０１ｃ、７０１ｆ等）として、実施の形態２て同様な短絡用のリペア用パッド（第２の短絡手段）あるいは実施の形態３の様な切断リペア用パッド（切断手段）を用いる。
これにより、修復したソースバス配線の負荷容量を小さくすることが可能である。
従って、本実施の形態によれば、全てのソースバス配線に対して複数回の修復が可能であると共に、負荷容量の増大に伴う信号の遅延を抑制するので、信号遅延に起因する表示画像の品質劣化も防止できるという効果もある。
【００３８】
実施の形態６．
以上説明した実施の形態１乃至５は、配線基板の上下端部にゲートバス配線に並行する予備配線が設けられ、ソースバス配線に断線が発生した場合の修復機能を有したマトリックス型表示装置の配線基板の構成について説明したが、配線基板の左右端部において予備配線をソースバス配線に対して並行に配置し、この予備配線に対して前述の実施の形態１乃至５と同様の構成を適用することにより、ゲートバス配線が断線した場合にも同様の効果を奏する修復可能なマトリックス型表示装置を実現することができる。
【００３９】
【発明の効果】
請求項１の発明に係るマトリックス型表示装置によれば、マトリックス状に配列された画素電極と、画素電極を囲むように複数列をなして互いに直交して配置された第１の配線群と第２の配線群を有する配線基板を有したマトリックス型表示装置において、第１の配線群の両側部において第１の配線群に交差することなく第１の配線群に対して並行に配置されると共に、第２の配線群とはその両端部において交差部を有する一対の第３の配線群と、交差部のそれぞれに設けられ、絶縁部を短絡することにより第２の配線群と第３の配線群を電気的に接続する第１の短絡手段と、一対の第３の配線群の端部を除く略中央部において第３の配線群に接続されると共に、配線基板の外部で互いに接続可能な一対の引出線とを備えたので、第２の配線群のいずれかの配線に断線が生じた場合に、断線した配線に対応する第１の短絡手段を短絡して第２の配線群と第３の配線群（予備配線）とを接続して断線箇所を修復しても、引出線が第３の配線群の端部に接続されている場合に比べて断線した配線に印加される信号が第３の配線群を経由する距離は短くなり、断線した配線への入力信号が第３の配線群（予備配線）の抵抗分によって劣化するのを抑えることが可能となり、断線修復時にも表示画面での画像品質の劣化を抑制することのできる高品位なマトリックス型表示装置を提供できるという効果がある。
【００４０】
また、請求項２の発明に係るマトリックス型表示装置によれば、請求項１の発明において、引出線と第３の配線群を接続する第３の配線群上の各接続部に、絶縁部を短絡することにより電気的接続を可能とする第２の短絡手段を２個設け、この２個の第２の短絡手段の中間に引出線を接続するように構成したので、第２の配線群のいずれかの配線に断線が生じた場合に、断線した配線に対応する第１の短絡手段と断線した配線側の第２の短絡手段を短絡して第２の配線群と第３の配線群（予備配線）とを接続して断線箇所を修復するので、引出線が第３の配線群の端部に接続されている場合に比べて断線した配線に印加される信号が第３の配線群を経由する距離は短くなり、断線した配線への入力信号が第３の配線群（予備配線）の抵抗分によって劣化するのを抑えることができ、断線修復時にも表示画面での画像品質の劣化を抑制することのできると共に、断線した配線側とは異なる側の他の第２の短絡手段は第３の配線群（予備配線）を絶縁分離しているので、分離された側の第３の配線群（予備配線）と第２の配線群の交差部によって生じる負荷容量の影響も抑制でき、負荷容量の増大に伴う入力信号の遅延等に起因する表示画像の品質劣化も防止できるという効果もある。
【００４１】
また、請求項３の発明に係るマトリックス型表示装置によれば、請求項２の発明において、第２の短絡手段に代えて切断手段を設けたので、断線した配線側とは異なる側の他の切断手段は第３の配線群（予備配線）を切断分離しているので、切断分離された側の第３の配線群（予備配線）と第２の配線群の交差部によって生じる負荷容量の影響を完全に無くすことができ、負荷容量の増大に伴う入力信号の遅延等に起因する表示画像の品質劣化を更に確実に防止できるという効果もある。
【００４２】
また、請求項４の発明に係るマトリックス型表示装置によれば、互いにその一部が並行して配置された複数対の第３の配線群を備え、複数対の第３の配線群のそれぞれの略中央部において第３の配線群にそれぞれ接続されると共に、接続された第３の配線群以外の第３の配線群のいずれとも交差することなく配線基板の外部で互いに接続可能な複数対の引出線とを備えたので、断線修復時の信号が経由する第３の配線群（予備配線）の距離を短くして第３の配線群の抵抗分によって第２の配線群の断線した配線への入力信号が劣化するのを抑え、断線修復時に表示画面での画像品質の劣化を抑制することのできると共に、第３の配線群（予備配線）が重なり合っている部分対応する第２の配線群の断線部の修復は２回行うことが可能となるという効果がある。
【００４３】
また、請求項５の発明に係るマトリックス型表示装置によれば、請求項４の発明において、各引出線と第３の配線群を接続する第３の配線群上の接続部に、絶縁部を短絡することにより電気的接続を可能とする第２の短絡手段を２個設け、この２個の第２の短絡手段の中間に引出線を接続するように構成したので、断線修復時の信号が経由する第３の配線群（予備配線）の距離を短くして第３の配線群の抵抗分によって第２の配線群の断線した配線への入力信号が劣化するのを抑え、断線修復時に表示画面での画像品質の劣化を抑制することのできると共に、第３の配線群（予備配線）が重なり合っている部分対応する第２の配線群の断線部の修復は２回行うことが可能であり、更に、断線した配線側とは異なる側の他の第２の短絡手段は第３の配線群（予備配線）を絶縁分離しているので、分離された側の第３の配線群（予備配線）と第２の配線群の交差部によって生じる負荷容量の影響も抑制でき、負荷容量の増大に伴う入力信号の遅延等に起因する表示画像の品質劣化も防止できるという効果もある。
【００４４】
また、請求項６の発明に係るマトリックス型表示装置によれば、請求項５の発明において、第２の短絡手段に代えて、切断手段を設けたので、断線した配線側とは異なる側の他の切断手段は第３の配線群（予備配線）を切断分離しているので、切断分離された側の第３の配線群（予備配線）と第２の配線群の交差部によって生じる負荷容量の影響を完全に無くすことができ、負荷容量の増大に伴う入力信号の遅延等に起因する表示画像の品質劣化を更に確実に防止できるという効果もある。
【００４５】
また、請求項７の発明に係るマトリックス型表示装置によれば、マトリックス状に配列された画素電極と、画素電極を囲むように複数列をなして互いに直交して配置された第１の配線群と第２の配線群を有する配線基板を有したマトリックス型表示装置において、第１の配線群の両側部において第１の配線群に交差することなく第１の配線群の全長に対して並行に配置されると共に、第２の配線群とはその両端部において交差部を有する複数対の第３の配線群と、交差部のそれぞれに設けられ、絶縁部を短絡することにより第２の配線群と第３の配線群を電気的に接続する第１の短絡手段と、前記複数対の第３の配線群の端部を除く略中央部において前記複数対の第３の配線群のそれぞれと交差すると共に、前記配線基板の外部で互いに接続可能な複数対の引出線と、複数対の第３の配線群と複数対の引出線が交差する各交差部に絶縁部を短絡することにより第３の配線群と各引出線を電気的に接続する第３の短絡手段を備えたので、全ての第２の配線群の配線に対して複数回の修復が可能であり、引出線が第３の配線群の端部に接続されている場合に比べて断線した配線に印加される信号が第３の配線群を経由する距離は短くなり、断線した配線への入力信号が第３の配線群（予備配線）の抵抗分によって劣化するのを抑えることが可能となり、断線修復時にも表示画面での画像品質の劣化を抑制することができるという効果がある。
【００４６】
また、請求項８の発明に係るマトリックス型表示装置によれば、請求項７の発明において、第３の配線群と引出線が交差する各交差部の第３の配線群上において絶縁部を短絡することにより電気的接続を可能とする第２の短絡手段を２個設け、この２個の前記第２の短絡手段の中間に第３の短絡手段を配置したので、全ての第２の配線群の配線に対して複数回の修復が可能であると共に、第２の短絡手段によって分離された側の第３の配線群（予備配線）と第２の配線群の交差部によって生じる負荷容量の影響も抑制でき、負荷容量の増大に伴う入力信号の遅延等に起因する表示画像の品質劣化も防止できるという効果もある。
【００４７】
また、請求項９の発明に係るマトリックス型表示装置によれば、請求項８の発明において、第２の短絡手段に代えて切断手段を設けたので、全ての第２の配線群の配線に対して複数回の修復が可能であると共に、断線した配線側とは異なる側の他の切断手段は第３の配線群（予備配線）を切断分離しているので、切断分離された側の第３の配線群と第２の配線群の交差部によって生じる負荷容量の影響を完全に無くすことができ、負荷容量の増大に伴う入力信号の遅延等に起因する表示画像の品質劣化を更に確実に防止できるという効果もある。
【００４８】
また、請求項１０の発明に係るマトリックス型表示装置によれば、請求項１乃至９のいずれかの発明において、引出線と第３の配線群の対数は同一であることを特徴とするので、全ての第２の配線群に対して引出線の対数と同一の数の修復を行うことができるという効果を奏する。
【図面の簡単な説明】
【図１】  実施の形態１によるマトリックス型表示装置の配線基板の要部の構成を示す図である。
【図２】  実施の形態２によるマトリックス型表示装置の配線基板の要部の構成を示す図である。
【図３】  実施の形態３によるマトリックス型表示装置の配線基板の要部の構成を示す図である。
【図４】  実施の形態４によるマトリックス型表示装置の配線基板の要部の構成を示す図である。
【図５】  実施の形態５によるマトリックス型表示装置の配線基板の要部の構成を示す図である。
【図６】  従来の断線修復機能を有したマトリックス型表示装置の表示電極基板（配線基板）の概略構成を示す図である。
【符号の説明】
１０１  配線基板
２０１  ソースバス配線（第２の配線群）
２１１  ゲートバス配線（第１の配線群）
２２１、２３１  予備配線（第３の配線群）
２４１、２５１  ２５２  内部引出線
２６１、２６２  外部引出線
３０１、３１１  ３２１、３３１  電極端子
４０１、４１１  短絡リペア用パッド（第１の短絡手段）
４２１、４３１  短絡リペア用パッド（第２の短絡手段）
４４１、４５１  短絡リペア用パッド（第３の短絡手段）
５０１、５０２、５０３  断線部
６０１、６１１  切断リペア用パッド（切断手段）
７０１、７１１  短絡または切断リペア用パッド
【図１】
0003832040.tif 000002
【図２】
0003832040.tif 000003
【図３】
0003832040.tif 000004
【図４】
0003832040.tif 000005
【図５】
0003832040.tif 000006
【図６】
0003832040.tif 000007